(57)【要約】【課題】  走行安全性を向上できる水路を構築可能なブロックを提供する。【解決手段】  通水孔１６の上端幅ｗ２１を１２〜２０ｍｍの範囲内で定めることにより、自転車や車椅子や乳母車等の乗り物がブロック１０上を走行したときでも、該乗り物のタイヤが通水孔１６に嵌まり込む可能性を回避することができ、前記ブロック１０によって構築された水路上の走行安全性を向上できる。【選択図】  図５
2006291527.tif 000002
【特許請求の範囲】
【請求項１】
少なくとも頂版部及び左右側壁部を備え、流水路に至る少なくとも１つの通水孔を頂版部の上面に有する水路構築用ブロックであって、
前記通水孔の上端幅は１２〜２０ｍｍの範囲内にある、
ことを特徴とする水路構築用ブロック。
【請求項２】
通水孔は上端から下端に向かって幅寸法が徐々に大きくなる縦断面形を有している、
ことを特徴とする請求項１に記載の水路構築用ブロック。
【請求項３】
頂版部の上面の前記通水孔の長さ方向両端には導水溝がそれぞれ存在し、
各導水溝の上端幅は通水孔の上端幅と一致し、且つ、各導水溝は上端から下端に向かって幅寸法が徐々に小さくなる縦断面形を有する、
ことを特徴とする請求項１または２に記載の水路構築用ブロック。
【発明の詳細な説明】
【技術分野】
【０００１】
本発明は、水路を構築する際に用いられるブロック、特にブロック内の流水路に至る通水孔を頂版部に有する水路構築用ブロックに関する。
【背景技術】
【０００２】
水路構築用ブロックには大別して縦断面がロ形を成すものと逆Ｕ形を成すものとが存在する。前者のブロックにあっては敷設箇所に該ブロックを並べて相互に連結することによって水路が構築され、後者のブロックにあっては敷設箇所に設けた基礎上に該ブロックを並べて相互に連結することによって水路が構築される。何れのブロックもブロック内の流水路に至る少なくとも１つの通水孔を頂版部に備えており、頂版部の上面に導かれた雨水等を通水孔から流水路に取り込んで該流水路によって所期の排水を行う。
【特許文献１】特開平４−１１１８２５号公報
【発明の開示】
【発明が解決しようとする課題】
【０００３】
前記ブロックは道路脇や道路中央等に水路を構築する際に用いられているが、前記通水孔の寸法はブロックの大きさやメーカー毎に様々であるため、自転車や車椅子や乳母車等の乗り物がブロック上を走行したときにそのタイヤが通水孔に嵌まり込んで走行安全性が損なわれる恐れがある。
【０００４】
本発明は前記事情に鑑みて創作されたもので、その目的とするところは、走行安全性を向上できる水路を構築可能なブロックを提供することにある。
【課題を解決するための手段】
【０００５】
前記目的を達成するため、少なくとも頂版部及び左右側壁部を備え、流水路に至る少なくとも１つの通水孔を頂版部の上面に有する水路構築用ブロックであって、前記通水孔の上端幅は１２〜２０ｍｍの範囲内にある、ことをその特徴とする。
【０００６】
この水路構築用ブロックによれば、通水孔の上端幅を１２〜２０ｍｍの範囲内で定めてあるので、自転車や車椅子や乳母車等の乗り物がブロック上を走行したときでも、該乗り物のタイヤが通水孔に嵌まり込む可能性を回避することができ、前記ブロックによって構築された水路上の走行安全性を向上させることができる。
【発明の効果】
【０００７】
本発明によれば、走行安全性を向上できる水路を構築可能なブロックを提供できる。
【０００８】
本発明の前記目的とそれ以外の目的と、構成特徴と、作用効果は、以下の説明と添付図面によって明らかとなる。
【発明を実施するための最良の形態】
【０００９】
図１〜図５は本発明の一実施形態を示すもので、図１は水路構築用ブロック（以下単にブロックと言う）の斜視図、図２（Ａ）は図１に示したブロックを導水溝を含む平面で破断した縦断面図と、図２（Ｂ）は図１に示したブロックを通水孔を含む平面で破断した縦断面図、図３，図４，図５（Ａ）及び図５（Ｂ）は図１に示したブロックの寸法線図である。
【００１０】
まず、ブロック１０の全体構成を、図１，図２（Ａ）及び図２（Ｂ）を参照して説明する。
【００１１】
図１，図２（Ａ）及び図２（Ｂ）に示すように、ブロック１０は頂版部１１と左右側壁部１２，１２と底版部１３とを備え、全体が略直方体形状を成す。ブロック１０内には縦断面が略矩形の流水路１４が長さ方向に沿って設けられており、該流水路１４はブロック１０の長さ方向両端面で開口している。
【００１２】
頂版部１１の上面１１ａは幅方向中心に向かって下向きに傾斜していて縦断面がＶ形を成す。頂版部１１の上面１１ａの幅方向中心には、長さ方向に間隔をおいて計４個の導水溝１５が設けられ、隣接する導水溝１５の間それぞれには流水路１４に至る計３個の通水孔１６が設けられている。
【００１３】
各導水溝１５の深さは頂版部１１の厚さの１／２以下であり、各導水溝１５は上端から下端に向かって幅寸法が徐々に小さくなる縦断面形を有し、且つ、上端から下端に向かって長さ寸法が徐々に小さくなる縦断面形を有していて全体が四角錐台状を成している。各通水孔１６は上端から下端に向かって幅寸法が徐々に大きくなる縦断面形を有し、且つ、上端から下端に向かって長さ寸法が徐々に大きくなる縦断面形を有していて全体が逆四角錐台状を成しており、該通水孔１６の上端幅は導水溝１５の上端幅と一致している。
【００１４】
このブロック１０にあっては敷設箇所に該ブロック１０を並べて相互に連結することによって水路が構築される。頂版部１１の上面１１ａに導かれた雨水等はその傾斜に従って導水溝１５と通水孔１６に集水され、導水溝１５から通水孔１６に導かれた雨水等を含め該通水孔１６を通じて流水路１４に取り込まれ該流水路１４によって所期の排水が行われる。
【００１５】
次に、図１，図２（Ａ）及び図２（Ｂ）に示したブロック１０の具体的な寸法例を、図３，図４，図５（Ａ）及び図５（Ｂ）を参照して説明する。
【００１６】
図３に示すブロック１０の長さＬ１は２０００ｍｍ、各導水溝１５の長さＬ２は５０ｍｍ、各通水孔１６の長さＬ３は６００ｍｍ、頂版部１１の幅Ｗ１は４７０ｍｍである。
【００１７】
図４に示左右側壁部１２，１２の幅Ｗ２は４００ｍｍ、流水路１４の幅Ｗ３は３００ｍｍ、頂版部１１の上面１１ａの傾斜角度θは約１度（２％勾配）、ブロック１０の高さＴ１は４３５ｍｍ、流水路１４の高さＴ２は３００ｍｍ、頂版部１１の中心部厚さｔ１は７０ｍｍである。
【００１８】
図５（Ａ）に示す各導水溝１５の上端幅ｗ１１は１２ｍｍ、下端幅ｗ１２は１０ｍｍであり、図５（Ｂ）に示す各通水孔１６の上端幅ｗ２１は１２ｍｍ、下端幅ｗ２２は２５ｍｍである。
【００１９】
前記通水孔１６の上端幅ｗ２１，長さＬ３及び縦断面形と、前記導水溝１５の上端幅ｗ１１，長さＬ２及び縦断面形は任意に定められたものではなく、各々の寸法及び形状はそれそれ個別の設計思想に基づいて定められている。
【００２０】
以下に、前記通水孔１６の上端幅ｗ２１，長さＬ３及び縦断面形に係る設計思想と、前記導水溝１５の上端幅ｗ１１，長さＬ２及び縦断面形に係る設計思想についてその作用効果を含めて順に説明する。
【００２１】
［通水孔１６の上端幅ｗ２１に係る設計思想］
通水孔１６の上端幅ｗ２１の上限値は自転車や車椅子や乳母車等の乗り物に一般に使用されているタイヤ幅の最小値に基づいて定められ、また、通水孔１６の上端幅ｗ２１の下限値は水路構築時に使用される逆Ｔ状のブロック吊り具の水平部の直径に基づいて定められている。
【００２２】
前記乗り物に多用されているタイヤ幅は２５〜４５ｍｍであるため、通水孔１６の上端幅ｗ２１を２５ｍｍよりも大きくすると、タイヤ幅２５ｍｍのタイヤが走行時に通水孔１６に嵌まり込む可能性が高い。この可能性を回避するにはタイヤ幅２５ｍｍのタイヤが通水孔１６に完全に嵌まり込まず、且つ、一部が入った状態でも走行に支障を生じないようにする必要があり、タイヤが弾性材であることも考慮した上で、２５ｍｍ×８０％＝２０ｍｍを通水孔１６の上端幅ｗ２１の上限値としてある。
【００２３】
また、前記ブロック吊り具の水平部の直径の限界設計は１０ｍｍであるため、通水孔１６の上端幅ｗ２１を１０ｍｍよりも小さくすると、水平部を通水孔１６に挿入することができなくなる。因みに、ブロック吊り具によるブロック１０の吊り下げは、水平部を通水孔１６を通じ流水路１４内まで挿入して９０度回転させた後にブロック吊り具を上昇させることによって行われ、該上昇時にあって９０度回転させた後の水平部は流水路１４の上面（頂版部１１の下面）に係合した状態を維持する。前記の挿入を可能とするには、直径１０ｍｍの水平部が通水孔１６に容易に挿入できるようにする必要があり、通水孔１６の寸法公差も考慮した上で、１０ｍｍ×１２０％＝１２ｍｍを通水孔１６の上端幅ｗ２１の下限値としてある。
【００２４】
つまり、通水孔１６の上端幅ｗ２１の好ましい範囲は１２〜２０ｍｍとなる。上限値である２０ｍｍに関してはこれよりも小さい値であるほうが走行安全性を高めることができるので、通水孔１６の役割である雨水等の取り込みに支障が生じない範囲、例えば、２５ｍｍ×７５％＝１８．７５ｍｍ、或いは、２５ｍｍ×７０％＝１７．５ｍｍを上限値としてもよい。
【００２５】
依って、通水孔１６の上端幅ｗ２１を１２〜２０ｍｍの範囲内で定めれば、自転車や車椅子や乳母車等の乗り物がブロック１０上を走行したときでも、該乗り物のタイヤが通水孔１６に嵌まり込む可能性を回避することができ、前記ブロック１０によって構築された水路上の走行安全性を向上させることができる。また、ブロック吊り具の水平部の通水孔１６への挿入を支障なく行って、該ブロック吊り具によるブロック１０の吊り下げ及び敷設作業を良好に行うことができる。
【００２６】
［通水孔１６の長さＬ３に係る設計思想］
先に述べたように、通水孔１６の役割は雨水等の取り込みにあるため、頂版部１１の上面１１ａに導かれた雨水等を効果的に取り込むためには長さＬ３を極力大きくして上端面積（Ｌ３×ｗ２１）を充分に確保する必要がある。
【００２７】
図１に示したブロック１０にあっては計４個の導水溝１５の間にそれぞれに計３個の通水孔１６が設けられているが、４個の導水溝１５の長さＬ２の加算値（４×Ｌ２）をブロック１０の長さＬ１の８％未満とすると、頂版部１１の強度が低下して通常範囲の荷重によって割れや欠損等を生じる恐れがある。また、４個の導水溝１５の長さＬ２の加算値（４×Ｌ２）をブロック１０の長さＬ１の１９％よりも大きくすると、通水孔１６の上端幅ｗ２１との関係において雨水等の取り込み性が低下してしまう。
【００２８】
つまり、３個の通水孔１６の長さＬ３の加算値（３×Ｌ３）の好ましい範囲はブロック１０の長さＬ１の８１〜９２％となる。
【００２９】
依って、３個の通水孔１６の長さＬ３の加算値（３×Ｌ３）をブロック１０の長さＬ１の８１〜９２％の範囲内で定めれば、通常範囲の荷重によって頂版部１１に割れや欠損等を生じることを防止し、且つ、通水孔１６による雨水等の取り込み性を向上させることができる。
【００３０】
［通水孔１６の縦断面形に係る設計思想］
先に述べたように、通水孔１６の役割は雨水等の取り込みにあるが、下端幅ｗ２２を上端幅ｗ２１と同じにするか、或いは、下端幅ｗ２２を上端幅ｗ２１よりも小さくすると、雨水等に混入している木片や木の葉や砂利等が通水孔１６の途中に引っ掛かって目詰まりを生じる恐れがある。
【００３１】
しかし、通水孔１６の縦断面形を上端から下端に向かって幅寸法が徐々に大きくなる形状とすれば、前記の目詰まりが生じ難くなって所期の役割を効果的に発揮することができる。通水孔１６の下端幅ｗ２２には特段の数値的な制限はないが、該下端幅ｗ２２を極力大きくすれば前記の目詰まりをより生じ難くすることができる。
【００３２】
［導水溝１５の上端幅ｗ１１に係る設計思想］
導水溝１５の上端幅ｗ１１の上限値は２０ｍｍであり、その設計思想は通水孔１６の上端幅ｗ２１の上限値で説明したものと同じである。また、導水溝１５の上端幅ｗ１１の下限値には特段の制限はないが、導水溝１５の上端幅ｗ１１が通水孔１６の上端幅ｗ２１と異ならせると両者の間に段差ができて頂版部１１の上面１１ａの美観も大きく低下するため、ここでは頂版部１１の上面１１ａの美観を重視して導水溝１５の上端幅ｗ１１を通水孔１６の上端幅ｗ２１と一致させてある。
【００３３】
依って、導水溝１５の上端幅ｗ１１を通水孔１６の上端幅ｗ２１と同じ１２〜２０ｍｍの範囲内で定めれば、自転車や車椅子や乳母車等の乗り物がブロック１０上を走行したときでも、該乗り物のタイヤが導水溝１５に嵌まり込む可能性を回避することができ、前記ブロック１０によって構築された水路上の走行安全性を向上させることができる。また、導水溝１５の上端幅ｗ１１を通水孔１６の上端幅ｗ２１と一致させることにより、頂版部１１の上面１１ａの美観を向上させることができる。
【００３４】
［導水溝１５の長さＬ２に係る設計思想］
導水溝１５の長さＬ２に係る設計思想は、先に述べた通水孔１６の長さＬ３に係る設計思想と相対的に同じであり、４個の導水溝１５の長さＬ２の加算値（４×Ｌ２）の好ましい範囲はブロック１０の長さＬ１の８〜１９％となる。
【００３５】
依って、４個の導水溝１５の長さＬ２の加算値（４×Ｌ２）をブロック１０の長さＬ１の８〜１９％の範囲内で定めれば、通常範囲の荷重によって頂版部１１に割れや欠損等を生じることを防止し、且つ、通水孔１６による雨水等の取り込み性を向上させることができる。
【００３６】
［導水溝１５の縦断面形に係る設計思想］
先に述べたように、導水溝１５の役割は雨水等を通水孔１６に導くことにあるが、上端幅ｗ１１と下端幅ｗ１２を同じにすると導水溝１５に入り込んだ雨水等が該導水溝１５内に停滞する可能性がある。
【００３７】
しかし、導水溝１５の縦断面形を上端から下端に向かって幅寸法が徐々に小さくなる形状とすると、導水溝１５内での流動性が高まり該導水溝１５に入り込んだ雨水等を効果的に通水孔１６に導くことができる。
【００３８】
尚、前述の実施形態では、頂版部１１と左右側壁部１２，１２と底版部１３によって囲まれた空間によって流水路１４が構成されたものをブロック１０として示したが、頂版部及び左右側壁部のみを有し底版部を有しない縦断面が逆Ｕ形のブロック等に本発明を適用しても前記同様の作用効果を得ることができる。
【００３９】
また、前述の実施形態では、頂版部１１の上面１１ａとして縦断面がＶ形を成すものを示したが、頂版部の上面の縦断面として弓形を採用しても同様の集水能が得られる。勿論、頂版部の上面に集水能を付与しない場合には該上面は平坦であっても構わない。
【００４０】
さらに、前述の実施形態では、頂版部の上面１１ａに計４個の導水溝１５を有し、隣接する導水溝１５の間それぞれに流水路１４に至る計３個の通水孔１６を有するものをブロック１０として示したが、導水溝１５の数をｎ個（ｎは２，３，５以上の整数）とし通水孔１６の数をｎ−１個とする場合でも、先に述べた通水孔１６の上端幅ｗ２１，長さＬ３及び縦断面形に係る設計思想と、導水溝１５の上端幅ｗ１１，長さＬ２及び縦断面形に係る設計思想を採用すれば前記同様の作用効果を得ることができる。
【００４１】
さらに、前述の実施形態は、図３〜図５を引用してブロック１０の具体的な寸法例を示したが、通水孔１６の上端幅ｗ２１，長さＬ３及び縦断面形に係る各設計思想と導水溝１５の上端幅ｗ１１，長さＬ２及び縦断面形に係る各設計思想を満足するものであれば、他の寸法（ブロック１０の長さＬ１、頂版部１１の幅Ｗ１、左右側壁部１２，１２の幅Ｗ２、流水路１４の幅Ｗ３、頂版部１１の上面１１ａの傾斜角度θ、ブロック１０の高さＴ１、流水路１４の高さＴ２、頂版部１１の中心部厚さｔ１、各導水溝１５の下端幅ｗ１２、各通水孔１６の下端幅ｗ２２）は例示した数値以外の数値に変更しても前記同様の作用効果を得ることができる。
【図面の簡単な説明】
【００４２】
【図１】本発明の一実施形態を示す水路構築用ブロックの斜視図である。
【図２】図１に示したブロックを導水溝を含む平面で破断した縦断面図と、図１に示したブロックを通水孔を含む平面で破断した縦断面図である。
【図３】図１に示したブロックの寸法線図である。
【図４】図１に示したブロックの寸法線図である。
【図５】図１に示したブロックの寸法線図である。
【符号の説明】
【００４３】
１０…ブロック、１１…頂版部、１１ａ…頂版部の上面、１２…左右側壁部、１３…底版部、１４…流水路、１５…導水溝、１６…通水孔、Ｌ１…ブロックの長さ、Ｌ２…導水溝の長さ、Ｌ３…通水孔の長さ、Ｗ１…頂版部の幅、Ｗ２…左右側壁部の幅、Ｗ３…流水路の幅、Ｔ１…ブロックの高さ、Ｔ２…流水路の高さ、ｔ１…頂版部の中心部厚さ、ｗ１１…導水溝の上端幅、ｗ２２…導水溝の下端幅、ｗ２１…通水孔の上端幅。
【図１】
2006291527.tif 000003
【図２】
2006291527.tif 000004
【図３】
2006291527.tif 000005
【図４】
2006291527.tif 000006
【図５】
2006291527.tif 000007